(57)【要約】      （修正有） 【課題】簡易な操作で、全歯を保留しつつ埋まっている智歯の支持を行い、歯列矯正の効果の得られる智歯の牽引支持具を提供する。【解決手段】歯面に固定する固定座２２０と、該固定座２２０の同一面に少なくとも２本以上設け、かつ３０度から７５度の範囲の夾角を形成して交錯するワイヤー支持管２４２、２４４と、を具えてなる。【選択図】図２Ａ
0003202384.tif 000002
【実用新案登録請求の範囲】
【請求項１】
歯面に固定する固定座と、
該固定座の同一面に少なくとも２本以上設け、かつ３０度から７５度の範囲の夾角を形成して交錯するワイヤー支持管と、を具えてなることを特徴とする智歯の牽引支持具。
【請求項２】
前記ワイヤー支持管が４５度の夾角を形成して交錯することを特徴とする智歯の牽引支持具。
【請求項３】
前記ワイヤー支持管が６０度の夾角を形成して交錯することを特徴とする智歯の牽引支持具。
【請求項４】
前記智歯の牽引支持具が、さらに支持具本体を具え、該複数のワイヤー支持管が該支持具本体を貫通して形成されることを特徴とする請求項１に記載の智歯の牽引支持具。
【請求項５】
前記支持具本体と該固定座とが一体に形成されることを特徴とする請求項４に記載の智歯の牽引支持具。
【請求項６】
前記支持具本体上の該ワイヤー支持管に対応する位置に少なくとも２本以上の溝を、該ワイヤー支持管と同一方向に形成することを特徴とする請求項４に記載の智歯の牽引支持具。
【請求項７】
前記固定座に複数の孔部を分布させて穿設することを特徴とする請求項１に記載の智歯の牽引支持具。
【考案の詳細な説明】
【技術分野】
【０００１】
この考案は歯科機具に関し、特に埋まっている智歯を牽引する支持具に関する。
【背景技術】
【０００２】
近年、歯列矯正術は斯業で注目を集める一項目となっている。過去１２５年の歯列矯正に係る観念では、智歯は役に立たないものであり、歯列矯正の結果に不安定をもたらす要素となり得ると考えられてきた。このため、患者と医師との不便、困惑を招いてきた。
【０００３】
一方、多くの工業化国家では歯列矯正の領域において専業の医師のトレーニングであろうと、臨床計画の思考的ロジックであろうと、即効的な成果を得るために、工業化された量産形式の思考を避けることはできないでいる。そこで、矯正治療計画が計画され、患者の４本の智歯を除去することは、当たり前の処置となった。甚だしくは、治療計画において患者の小臼歯を除去する処置も取り入れられた。
【０００４】
上述する思考と処置は、矯正治療を行う専業の医師にとって患者の歯列が揃っていないという問題を短時間の内に、かつ容易に解決するものであった。但し、その一方では、周到な思慮に欠けることから、矯正後の後遺症という問題が発生する例が何件も発生した。
【０００５】
矯正後の後遺症には、次に掲げる何項かが挙げられる。即ち、智歯を抜くと、患者は咬合の支点が前方に移動し、このため顎関節筋肉疼痛症候群を引き起こす。
【０００６】
また、埋まっている智歯を抜くと、修復できない特殊分化を招き、先天的であろうと、後天的であろうと、第２大臼歯の外側に歯周組織に欠損が生じる原因となる。
【０００７】
また、成長するまでに小臼歯と智歯を抜くと、歯牙構造の強度が不足する。このため歯列の発育が成熟すると、顔面の窪みが容易に発生し、法令線が早めに出現する。
【０００８】
理論上、智歯は最も若く、寿命の長い歯である。歯列矯正治療を施す前に智歯を抜けば、患者の歯牙全体の使用寿命が短縮する。
【０００９】
歯列矯正治療の後遺症によって発生する後続の治療費は極めて高額である。患者自身と社会保険の負担を大幅に増大させることになる。ましてや、世界各国で保険事業の赤字が問題になっている。歯列矯正治療の後遺症問題を抜本的に解決することができれば、歯科に係る保険の支出と患者の負担を軽減することができる。
【００１０】
また、歯列矯正治療の後遺症問題以外に、手術で智歯を除去しようとすれば、手術の際、または術の後の感染率が高くなるのみならず、かなりの時間不快感が残る。また、例えば血液の凝固機能に障害のある患者、もしくは免疫機能の弱い患者などの手術に適合しない患者は、歯列矯正治療計画に基づいて智歯を抜いて除去することになるが、いずれの方法を選択するか、決断の難しいところである。
【考案の概要】
【考案が解決しようとする課題】
【００１１】
この考案は、簡易な操作で、全歯を保留しつつ埋まっている智歯の支持を行い、歯列矯正の効果の得られる智歯の牽引支持具を提供することを課題とする。
【課題を解決するための手段】
【００１２】
そこで、本考案者は、智歯と歯列矯正術の現状、及びその短所に鑑み鋭意研究を重ねた結果、歯面に固定する固定座と、該固定座の同一面に少なくとも２本以上設け、かつ３０度から７５度の範囲の夾角を形成して交錯するワイヤー支持管と、を具えてなる智歯の牽引支持具によって課題を解決できる点に着眼し、係る知見に基づいて本考案を完成させた。
【００１３】
以下この考案について説明する。請求項１に記載する智歯の牽引支持具は、歯面に固定する固定座と、
該固定座の同一面に少なくとも２本以上設け、かつ３０度から７５度の範囲の夾角を形成して交錯するワイヤー支持管と、を具えてなる。
【００１４】
請求項２に記載する智歯の牽引支持具は、請求項１におけるワイヤー支持管が４５度の夾角を形成して交錯する。
【００１５】
請求項３に記載する智歯の牽引支持具は、請求項１におけるワイヤー支持管が６０度の夾角を形成して交錯する。
【００１６】
請求項４に記載する智歯の牽引支持具は、請求項１における牽引支持具が、さらに支持具本体を具え、該複数のワイヤー支持管が該支持具本体を貫通して形成される。
【００１７】
請求項５に記載する智歯の牽引支持具は、請求項４における支持具本体と該固定座とが一体に形成される。
【００１８】
請求項６に記載する智歯の牽引支持具は請求項４における支持具本体上の該ワイヤー支持管に対応する位置に少なくとも２本以上の溝を、該ワイヤー支持管と同一方向に形成する。
【００１９】
請求項７に記載する智歯の牽引支持具は請求項１における固定座に複数の孔部を分布させて穿設する。
【考案の効果】
【００２０】
この考案による智歯の牽引支持具によれば、牽引支持具の異なる角度のワイヤー支持管を利用して少なくとも２回の歯列矯正工程を行うことができ、智歯を正しい位置と角度に矯正し、歯列矯正を行うことができる。即ち、手術で智歯を除去することなく、智歯の傾斜、埋没状況に鑑み歯列矯正プランを調整し、好ましい効果を得ることができる。よって、手術が招く感染症などの諸問題の恐れがなく、矯正の後遺症などの問題もなく、理想的な歯列矯正の効果が得られるとともに、患者に対する経済的負担を大幅に軽減することができるという利点を有する。
【図面の簡単な説明】
【００２１】
【図１】この考案による智歯の牽引支持具を示した斜視図である。
【図２Ａ】他の実施の形態による牽引支持具を示した斜視図である。
【図２Ｂ】図２Ａに開示する牽引支持具の側面図である。
【図３】この考案による智歯の牽引支持具の使用法を示したフローチャートである。
【図４Ａ】この考案による智歯の牽引支持具の使用態様を示した説明図である。
【図４Ｂ】この考案による智歯の牽引支持具の使用態様を示した他の説明図である。
【図４Ｃ】この考案による智歯の牽引支持具の使用態様を示したその他説明図である。
【考案を実施するための形態】
【００２２】
この考案は、簡易な操作で、全歯を保留しつつ埋まっている智歯を支持し、歯列矯正の効果の得られる智歯の牽引支持具を提供するものであって、該智歯の牽引支持具は、歯面に固定する固定座と、該固定座の同一面に少なくとも２本以上設け、かつ３０度から７５度の範囲の夾角を形成して交錯するワイヤー支持管と、を具えてなる。係る智歯の牽引支持具について具体的な実施例を挙げ、図面を参照にして以下に詳述する。
【実施例１】
【００２３】
図１にこの考案による智歯の牽引支持具を開示する。図面の開示によれば、この考案による智歯牽引支持具１００は固定座１２０と、少なくとも２つ以上のワイヤー支持管１４０とを含んでなる。
【００２４】
複数のワイヤー支持管１４０は固定座１２０の同一面に設ける。実施例においては、当業者の熟知する従来の方法で固定座１２０に接続する。又はワイヤー支持管１４０を固定座１２０と一体に形成してよい。
【００２５】
固定座１２０には、複数の孔部１２２を穿設する。孔部１２２の位置は固定座１２０に不規則に分布してもよく、また円周に沿って形成してもよい。
【００２６】
上述する智歯牽引支持具１００は、接着剤で矯正対象の智歯に貼着して固定する。この場合、歯面に塗布した接着剤の一部が固定座１２０の孔部１２２から溢れ、智歯牽引支持具１００が歯面に密着するという効果が得られる。
【００２７】
また、実施例においては、２本のワイヤー支持管１４０は、３０度から７５度の夾角で交錯する。但し、該夾角は４５度であってもよく、また６０度であってもよい。
【００２８】
この考案による智歯牽引支持具によって智歯の矯正を行う場合は、矯正の対象となる智歯の歯茎から露出している部分の適宜な位置に智歯牽引支持具を固定する。次いで、矯正用のワイヤーを第１ワイヤー支持管１４２に通す。ワイヤーの物理的応力によって、矯正対象の智歯は歯茎から徐々に引き出されて第１位置に矯正される。
【００２９】
次に、ワイヤーを第２ワイヤー支持管１４４に通して、矯正対象の智歯を歯茎に対して垂直になる位置に矯正する。
【００３０】
第２ワイヤー支持管１４４で智歯を完全に矯正できない場合は、上述するステップを繰り返して、ワイヤーを第１ワイヤー支持管及び／もしくは第２ワイヤー支持管に通して、さらなる智歯の矯正を行う。
【００３１】
図２Ａ、２Ｂに、この考案による智歯の牽引支持具の他の実施形態を開示する。図面の開示によれば、智歯牽引支持具２００は、固定座２２０と、支持具本体２４０とを具えてなる。
【００３２】
支持具本体２４０は固定座２２０から延伸し、かつ固定座２２０上に位置する。また、支持具本体２４０は、当業者が熟知する従来の方法で固定座２２０上に接続する。但し、支持具本体２４０は固定座２２０と一体に形成してもよい。
【００３３】
固定座２２０には、複数の孔部２２２を穿設する。孔部２２２の位置は固定座１２０に不規則に分布してもよく、また円周に沿って形成してもよい。
【００３４】
上述する智歯牽引支持具２００は、接着剤で矯正対象の智歯に貼着して固定する。この場合、歯面に塗布した接着剤の一部が固定座１２０の孔部１２２から溢れ、智歯牽引支持具１００が歯面に密着するという効果が得られる。
【００３５】
また、上述する支持具本体２４０は、図２Ａ、図２Ｂに開示するように、少なくとも２本のワイヤー支持管２４２、２４４を具える。ワイヤー支持管２４２、２４４は支持具本体２４０を貫通して形成され、かつ図面に開示するように所定の夾角を交錯する。該夾角は３０度から７５度の間であって、例えば４５度であってもよく、また６０度であってもよい。
【００３６】
また、支持具本体２４０は、さらに少なくとも２本以上の溝２４６、２４６´を形成してもよい。溝２４６、２４６´は支持具本体２４０上であって、ワイヤー支持管２４２、２４４に対応する位置に形成する。
【００３７】
実施例における智歯牽引支持具２００はサイズが微小である。よって、智歯牽引支持具２００を矯正の対象となる智歯に貼着する場合、もしくはワイヤーをワイヤー支持管２４２、２４４に通す場合、溝２４６、２４６´はワイヤー支持管２４２、２４４の位置と方向を確認するための補助となる。  
【００３８】
図３に、智歯牽引支持具の使用例を開示する。図面に開示するように、３２０のステップにおいて智歯牽引支持具を歯面に固定し、３４０のステップにおいてワイヤーを第１ワイヤー支持管に通し、３６０のステップにおいてワイヤーを第２ワイヤー支持管に通す。
【００３９】
３２０のステップにおいて、智歯牽引支持具は接着剤で矯正対象の智歯の外側の歯面に貼着して固定する。また、智歯牽引支持具は図１に開示する実施形態のものであってもよく、図２Ａに開示するものであってもよい。
【００４０】
智歯牽引支持具を固定する歯面上の位置、及び第１ワイヤー支持管と歯茎との間の角度は、矯正の対象となる智歯の傾斜の角度によって決める。
【００４１】
智歯牽引支持具を歯面に固定した後、矯正用のワイヤーを第１ワイヤー支持管に通す。
【００４２】
図４Ａから図４Ｃは、この考案による智歯牽引支持具の使用態様を示した説明図であって、図４Ａに開示するように、正常な歯３１２に設けた矯正支持具４１２２を介してワイヤー４１０を矯正対象の智歯４１４に固定した智歯牽引支持具４２０の第１ワイヤー支持管４２２に通す。
【００４３】
図４Ｂに開示するように、ワイヤーの物理的応力によって智歯４１４は徐々に正しい位置へ向かい、第１矯正状態となる。この場合、３６０のステップについて説明したとおり、ワイヤーを第１ワイヤー支持管４２２から抜いて、第２ワイヤー支持管４２４に通す。よって、ワイヤーには十分な物理的応力が再度与えられ、矯正対象の智歯は次の段階の矯正に移行する。
【００４４】
３６０のステップの後、第２ワイヤー支持管４２４に通したワイヤー４１０の応力によって、矯正対象の智歯４１４は正確な位置と角度に矯正される。
【００４５】
智歯の傾斜が大きく、又はさらに緩和を必要とするなどの特殊な症状の歯列矯正の治療過程においては、３６０のステップを終えても、完全な矯正の効果が得られるとは限らない。そこで、図４Ｃに開示する智歯４１４の状態に至るまでステップ３４０を繰り返すか、または３４０のステップと３６０とステップを繰り返す。
【符号の説明】
【００４６】
１００智歯牽引支持具
１２０固定座
１２２孔部
１４０ワイヤー支持管
１４２第１ワイヤー支持管
１４４第２ワイヤー支持管
２００智歯牽引支持具
２２０固定座
２２２孔部
２４０支持具本体
２４２ワイヤー支持管
２４４ワイヤー支持管
２４６溝
２４６´溝
３１２歯
４１０ワイヤー
４１４智歯
４１２２矯正支持具
４２２第１ワイヤー支持管
４２４第２ワイヤー支持管
【図１】
0003202384.tif 000003
【図２Ａ】
0003202384.tif 000004
【図２Ｂ】
0003202384.tif 000005
【図３】
0003202384.tif 000006
【図４Ａ】
0003202384.tif 000007
【図４Ｂ】
0003202384.tif 000008
【図４Ｃ】
0003202384.tif 000009
【手続補正書】
【提出日】平成27年11月19日(2015.11.19)
【手続補正１】
【補正対象書類名】実用新案登録請求の範囲
【補正対象項目名】全文
【補正方法】変更
【補正の内容】
【実用新案登録請求の範囲】
【請求項１】
歯面に固定する固定座と、
該固定座の同一面に少なくとも２本以上設け、かつ３０度から７５度の範囲の夾角を形成して交錯するワイヤー支持管と、を具えてなることを特徴とする智歯の牽引支持具。
【請求項２】
前記ワイヤー支持管が４５度の夾角を形成して交錯することを特徴とする請求項１に記載の智歯の牽引支持具。
【請求項３】
前記ワイヤー支持管が６０度の夾角を形成して交錯することを特徴とする請求項１に記載の智歯の牽引支持具。
【請求項４】
前記智歯の牽引支持具が、さらに支持具本体を具え、該複数のワイヤー支持管が該支持具本体を貫通して形成されることを特徴とする請求項１に記載の智歯の牽引支持具。
【請求項５】
前記支持具本体と該固定座とが一体に形成されることを特徴とする請求項４に記載の智歯の牽引支持具。
【請求項６】
前記支持具本体上の該ワイヤー支持管に対応する位置に少なくとも２本以上の溝を、該ワイヤー支持管と同一方向に形成することを特徴とする請求項４に記載の智歯の牽引支持具。
【請求項７】
前記固定座に複数の孔部を分布させて穿設することを特徴とする請求項１に記載の智歯の牽引支持具。